(57)【特許請求の範囲】
【請求項１】
左右一対の移送方向（前後方向）に長い主フレーム２と、育苗容器を移送する移送手段とを有する移送台１の始端部と終端部の何れか一方または両方に、育苗容器を移送しうる略水平の使用状態と、移送台１の中央側に向けて折り畳んだ格納状態の間回動する延長レール５を設けたものにおいて、前記延長レール５は、弾性を有する軸部材により前記主フレーム２に取付ける夫々分離した左右一対の取付軸部６と、各取付軸部６に連設した前後方向のレール部７と、該レール部７とレール部７の間を連結する連結部８とにより構成し、前記各取付軸部６には内側に当接突起１３を、該当接突起１３の外側に係合突起１４を夫々設け、前記主フレーム２には前記係合突起１４は通るが、前記当接突起１３は通らない形状に形成した挿入孔１５を形成した育苗容器移送台の延長レール。
【請求項２】
請求項１において、前記当接突起１３と係合突起１４は、何れも取付軸部６の軸心方向に対して放射方向に突き出るように形成すると共に、平面視、当接突起１３は前後側に一対設け、係合突起１４は片側に設け、前記挿入孔１５は、取付軸部６を挿通する円形の円形孔部１６に前記係合突起１４のみが通過する挿通溝部１７を連通させて形成した育苗容器移送台の延長レール。
【請求項３】
請求項１において、前記当接突起１３と係合突起１４は、何れも取付軸部６の軸心方向に対して放射方向に突き出るように形成すると共に、当接突起１３と係合突起１４の位相を変えて形成した育苗容器移送台の延長レール。
【請求項４】
請求項１または請求項２または請求項３において、前記当接突起１３と係合突起１４は、何れも潰し加工により形成した育苗容器移送台の延長レール。
【発明の詳細な説明】
【０００１】
【産業上の利用分野】
本発明は、育苗容器移送台の延長レールに係るものである。
【０００２】
【従来技術】
従来公知の実公平７−４３００８号公報には、育苗容器を移送しうる略水平の使用状態と、移送台の中央側に向けて折り畳んだ格納状態の間回動する延長レールを設けたものにおいて、前記延長レールは、Ｖ型あるいはＵ型の連結部の基部に左右方向の取付軸部を設け、該取付軸部を主フレームに回動自在に取付けた構成について記載されている。
【０００３】
【発明が解決しようとする課題】
前記公知例には、回動自在に取付けるという構成以外の取付け方法についての記載はなく、不明であるが、例えば、取付軸部の左端を主フレームの挿入孔に押し込んで、取付軸部の右端を主フレームの側面より内側に位置させて位置合わせし、取付軸部の左端が抜けない範囲で延長レール全体を中央に位置させ、次いで、取付軸部の端部をボルトで止めていた。
どうして、ボルトで止めていたかというと、取付軸部の両端を挿通すると、取付けは完了するが、延長レール全体が左右に動くこと、場合によっては一方の取付軸部が抜けることがあるので、主フレームより突出する部分をボルトにより止めていたのである。
したがって、取り付けが面倒であるという課題がある。
本発明は、取付構成を工夫して、組立てを容易にしたものである。
【０００４】
【発明の目的】
取付組立ての容易化。
【０００５】
【課題を解決するための手段】
本発明は、左右一対の移送方向（前後方向）に長い主フレーム２と、育苗容器を移送する移送手段とを有する移送台１の始端部と終端部の何れか一方または両方に、育苗容器を移送しうる略水平の使用状態と、移送台１の中央側に向けて折り畳んだ格納状態の間回動する延長レール５を設けたものにおいて、前記延長レール５は、弾性を有する軸部材により前記主フレーム２に取付ける夫々分離した左右一対の取付軸部６と、各取付軸部６に連設した前後方向のレール部７と、該レール部７とレール部７の間を連結する連結部８とにより構成し、前記各取付軸部６には内側に当接突起１３を、該当接突起１３の外側に係合突起１４を夫々設け、前記主フレーム２には前記係合突起１４は通るが、前記当接突起１３は通らない形状に形成した挿入孔１５を形成した育苗容器移送台の延長レールとしたものである。
本発明は、前記当接突起１３と係合突起１４は、何れも取付軸部６の軸心方向に対して放射方向に突き出るように形成すると共に、平面視、当接突起１３は前後側に一対設け、係合突起１４は片側に設け、前記挿入孔１５は、取付軸部６を挿通する円形の円形孔部１６に前記係合突起１４のみが通過する挿通溝部１７を連通させて形成した育苗容器移送台の延長レールとしたものである。
本発明は、前記当接突起１３と係合突起１４は、何れも取付軸部６の軸心方向に対して放射方向に突き出るように形成すると共に、当接突起１３と係合突起１４の位相を変えて形成した育苗容器移送台の延長レールとしたものである。
本発明は、前記当接突起１３と係合突起１４は、何れも潰し加工により形成した育苗容器移送台の延長レールとしたものである。
【０００６】
【実施例】
本発明の実施例を図面により説明すると、１は育苗容器を移送する移送台、２は移送台１の左右一対の移送方向（前後方向）に長い主フレーム２、３は育苗容器を移送する移送ロール３である。
前記移送台１の始端部と終端部の何れか一方または両方には、延長レール５を設ける。延長レール５は、左右一対の取付軸部６を主フレーム２に回動自在に取付け、各取付軸部６の内端に前後方向のレール部７の基部を接続し、レール部７とレール部７の間をＶ型あるいはＵ型の連結部８により連結して構成する。
【０００７】
前記主フレーム２の取付軸部６の取付部分より端側には、左右方向の支持杆９を設け、使用状態のときのレール部７を支持する。
延長レール５は、レール部７が前記移送ロール３の上面と略同一高さに位置する使用状態と、移送台１の中央側に向けて回動させた格納状態の間回動するようにしている。
また、実施例では、側面視、取付軸部６はレール部７より低く位置させ、取付軸部６とレール部７の間にレール部７に至るに従い高くなる傾斜部１０に形成し、育苗容器が乗り移るのを円滑にしている。
【０００８】
しかして、前記取付軸部６には、当接突起１３と係合突起１４を設ける。当接突起１３と係合突起１４は何れも軸心方向に対して放射方向に突き出るように形成するが、当接突起１３は係合突起１４より内側に形成する。一方、前記主フレーム２には挿入孔１５を形成し、挿入孔１５は係合突起１４は通るが、当接突起１３は通らない形状に形成し、挿入孔１５に係合突起１４を通して当接突起１３を主フレーム２の側面に当接させて、延長レール５の取り付けを完了する。
【０００９】
実施例では、平面視、当接突起１３は前後側に一対設け、係合突起１４は片側に設け、挿入孔１５は、取付軸部６を挿通する円形の円形孔部１６と円形孔部１６に対して放射方向に切り欠いて形成した挿通溝部１７とにより形成し、延長レール５の左右のレール部７を弾性変形させて間隔を縮めて係合突起１４を挿入孔１５の挿通溝部１７より挿入し、延長レール５の弾力によって当接突起１３を主フレーム２に押し付けてがたを減少させる。
【００１０】
この場合、当接突起１３と係合突起１４は、どちらも、潰し加工により形成するので、製造が容易になる。
また、別の実施例では、前記当接突起１３と係合突起１４は、何れも取付軸部６の軸心方向に対して放射方向に突き出るように形成すると共に、当接突起１３と係合突起１４の位相を変えて形成する。
この場合、使用状態および格納状態のときに、当接突起１３が挿入孔１５と不一致となるようにすると、取付軸部６の所定以上の挿入が防止され、好適である。
【００１１】
【作用】
次に作用を述べる。
移送台１の始端部と終端部の何れか一方または両方に、主フレーム２に回動自在に取付ける左右一対の取付軸部６と、各取付軸部６に連設した前後方向のレール部７と、レール部７とレール部７の間を連結するＶ型あるいはＵ型の連結部８とを有する延長レール５を設けているから、レール部７が移送ロール３の上面と略同一高さに位置させた使用状態にして、育苗容器を延長レール５に供給すると、育苗容器の先端は移送ロール３に乗り移って移送され、移送台１の終端部まで移送されると、延長レール５に乗り移り、この育苗容器を取り出す。
【００１２】
作業が終了すると、取付軸部６を中心に延長レール５を回動させるから、移送台１全体の長さを短くする。
しかして、前記延長レール５は、弾性を有する軸部材により左右の取付軸部６間の間隔を変化するように形成し、取付軸部６には当接突起１３と係合突起１４を設け、一方、前記主フレーム２には係合突起１４は通るが、当接突起１３は通らない形状に形成した挿入孔１５を形成しているから、延長レール５を一旦弾性変形させて左右の取付軸部６の間隔を縮め、この状態で取付軸部６の先端および係合突起１４を挿入孔１５に挿入し、この状態で延長レール５を回動させると、取り付けが完了する。
【００１３】
したがって、延長レール５を回動させると、係合突起１４が主フレーム２の内面に当接するから、取付軸部６が挿入孔１５から抜けることはなく、また、係合突起１４より内側に当接突起１３があるから、取付軸部６はこれ以上挿入孔１５に入らず、延長レール５の変形を防止する。
また、延長レール５は弾性復帰して当接突起１３を主フレーム２に押し付けるから、がたを減少させる。
【００１４】
実施例では、当接突起１３と係合突起１４は何れも軸心方向に対して放射方向に突き出るように形成し、平面視、当接突起１３は前後側に一対設け、係合突起１４は片側に設け、挿入孔１５は、取付軸部６を挿通する円形の円形孔部１６と円形孔部１６に対して放射方向に切り欠いて形成した挿通溝部１７とにより形成しているから、係合突起１４は挿通溝部１７を通過できるが当接突起１３は主フレーム２の側面に当接する。
【００１５】
したがって、係合突起１４が主フレーム２の内面に当接して取り付けが完了する。
この場合、当接突起１３と係合突起１４は、どちらも、潰し加工により形成できるので、製造が容易になる。
また、別の実施例では、前記当接突起１３と係合突起１４は、何れも取付軸部６の軸心方向に対して放射方向に突き出るように形成すると共に、当接突起１３と係合突起１４の位相を変えて形成しているから、係合突起１４が係合して抜け止めとなり、当接突起１３は主フレーム２に当接して、位置ずれガタ付きを防止する。
【００１６】
この場合、延長レール５が使用状態および格納状態のとき、当接突起１３が挿入孔１５と不一致となるようにしているから、取付軸部６の所定以上の挿入が防止され、好適である。
【００１７】
【効果】
本発明は、左右一対の移送方向（前後方向）に長い主フレーム２と、育苗容器を移送する移送ロール等の移送手段とを有する移送台１の始端部と終端部の何れか一方または両方に、育苗容器を移送しうる略水平の使用状態と、移送台１の中央側に向けて折り畳んだ格納状態の間回動する延長レール５を設けたものにおいて、前記延長レール５は、弾性を有する軸部材により前記主フレーム２に取付ける夫々分離した左右一対の取付軸部６と、各取付軸部６に連設した前後方向のレール部７と、該レール部７とレール部７の間を連結する連結部８とにより構成し、前記各取付軸部６には内側に当接突起１３を、該当接突起１３の外側に係合突起１４を夫々設け、前記主フレーム２には前記係合突起１４は通るが、前記当接突起１３は通らない形状に形成した挿入孔１５を形成した育苗容器移送台の延長レールとしたものであるから、ボルトを使用せず、取り付けできて、取付が容易であり、また、係合突起１４より内側に当接突起１３があるので、取付軸部６はこれ以上挿入孔１５に入らず、延長レール５の変形を防止する。
本発明は、前記当接突起１３と係合突起１４は、何れも取付軸部６の軸心方向に対して放射方向に突き出るように形成すると共に、平面視、当接突起１３は前後側に一対設け、係合突起１４は片側に設け、前記挿入孔１５は、取付軸部６を挿通する円形の円形孔部１６に前記係合突起１４のみが通過する挿通溝部１７を連通させて形成した育苗容器移送台の延長レールとしたものであるから、簡単に構成できる。
本発明は、前記当接突起１３と係合突起１４は、何前記当接突起１３と係合突起１４は、何れも取付軸部６の軸心方向に対して放射方向に突き出るように形成すると共に、当接突起１３と係合突起１４の位相を変えて形成した育苗容器移送台の延長レールとしたものであるから、簡単に構成できる。
本発明は、前記当接突起１３と係合突起１４は、何れも潰し加工により形成した育苗容器移送台の延長レールとしたものであるから、コストを低くできる。
【図面の簡単な説明】
【図１】  移送台の平面図。
【図２】  同側面図。
【図３】  同縦断側面図。
【図４】  延長レールの平面図。
【図５】  取付軸部を挿入した状態の断面図。
【図６】  取付軸部の断面図。
【図７】  挿入孔の正面図。
【図８】  他の実施例の斜視図。
【符号の説明】
１…移送台、２…主フレーム、３…移送ロール、５…延長レール、６…取付軸部、７…レール部、８…連結部、９…支持杆、１０…傾斜部、１３…当接突起、１４…係合突起、１５…挿入孔、１６…円形孔部、１７…挿通溝部。
【図１】
0004646092.tif 000002
【図２】
0004646092.tif 000003
【図３】
0004646092.tif 000004
【図４】
0004646092.tif 000005
【図５】
0004646092.tif 000006
【図６】
0004646092.tif 000007
【図７】
0004646092.tif 000008
【図８】
0004646092.tif 000009